(57)【要約】【課題】構造を従来のものより大きく変えることなく、簡単な構造で、通信用光ビームを受信しうるようにすることにより、多機能化を図ることができるとともに、最終的には、浴室用として最適なスピーカ、並びにそれを備えるスピーカ装置および音響システムを提供する。【解決手段】天井または壁を形成するパネル１に取り付けられる支持板１４の中央部に、コーン紙１５を駆動する磁気駆動部(１６〜２２)が配設されたスピーカ２において、通信用光ビーム４ｂを受光する受光器２４を、磁気駆動部の中央に設けた収容孔２３に配設する。【選択図】  図１
2006238005.tif 000002
【特許請求の範囲】
【請求項１】
天井または壁を形成するパネルに取り付けられる支持板の中央部に、振動板を駆動する磁気駆動部が配設されたスピーカにおいて、通信用光ビームを受光する受光器を、前記磁気駆動部の中央に設けた収容孔に配設したことを特徴とするスピーカ。
【請求項２】
収容孔を、永久磁石の中央に配設したセンターポールの中心部に穿設した請求項１記載のスピーカ。
【請求項３】
通信用光ビームを透過させる防護キャップを、受光器の受光面の前方に配設した請求項１または２記載のスピーカ。
【請求項４】
通信用光ビームを赤外線とし、かつ受光器を赤外線受光器とした請求項１〜３のいずれかに記載のスピーカ。
【請求項５】
放音面を前向きとして、支持板をパネルに取り付け、かつ受光器の受光面を前向きとした請求項１〜４のいずれかに記載のスピーカ。
【請求項６】
放音面を後向きとして、支持板を、放射状の放音用開口を有するスペーサを介してパネルに取り付け、かつ受光器の受光面を前向きとした請求項１〜４のいずれかに記載のスピーカ。
【請求項７】
請求項６記載のスピーカの前部に、光ビームを透過させる材料製の密閉型のスピーカボックス兼防護カバーを設けたことを特徴とするスピーカ装置。
【請求項８】
請求項７記載のスピーカ装置におけるスピーカボックス兼防護カバーを、可視光線を透過させる材料により形成し、かつその内部における受光器の受光の妨げとならない位置に、照明用灯具を設けたことを特徴とする灯具付スピーカ装置。
【請求項９】
スピーカボックス兼防護カバー内における受光器の受光面の前方に、円筒形の遮光板を設け、この遮光板の外側に、円筒形の灯具を配設した請求項８記載の灯具付スピーカ装置。
【請求項１０】
請求項１〜９のいずれかに記載のスピーカ、スピーカ装置、または灯具付スピーカ装置と、
操作に応じた制御信号を化体した光ビームを発生するリモートコントローラと、
前記スピーカ、スピーカ装置、または灯具付スピーカ装置における受光器およびスピーカ、並びに音源ソースに電気的に接続され、かつ前記受光器が受光したリモートコントローラからの光ビームに化体された制御信号に基づいて、スピーカに供給する前記音源ソースからの音響信号を制御する音響制御装置
とを備えることを特徴とする音響システム。
【請求項１１】
スピーカ、スピーカ装置、または灯具付スピーカ装置を、浴室の天井または壁に配設し、かつリモートコントローラを手持ち型として、防水ケース内に収容したことを特徴とする請求項１０記載の音響システム。
【発明の詳細な説明】
【技術分野】
【０００１】
本発明は、受光器を組み込んだスピーカ、並びにそれを備えるスピーカ装置および音響システムに関する。
【背景技術】
【０００２】
近年、入浴によるリラクセーション効果が見直され、リラックスした気分を満喫するため、音楽を聴きながら入浴することがある。また、入浴時にも、社会・経済・スポーツ等の情報を聴取したいという要望もあり、浴室に音響システムを装備することが、しばしば行われてきている(例えば、特許文献１参照)。
【０００３】
そのため、スピーカを浴室の天井に埋め込んだり、あるいは点検口に挿入したりしている。また、電源のオン−オフ、ボリューム調整、選局等を行うリモートコントローラ(以下、単に「リモコン」という)を、給湯装置本体とケーブルを介して接続された、給湯装置を遠隔操作するための風呂用リモコンで兼用するようにし、そのリモコンを、天井や壁を形成しているパネルに取り付けている。したがって、入浴者は、リモコンを操作することによって、給湯装置本体に対する操作とは別に、自分の好みや要求に応じた音楽、番組等を選択して聴くことができる。
【特許文献１】特許第３４７７４３５号公報
【発明の開示】
【発明が解決しようとする課題】
【０００４】
しかし、特許文献１に記載されているような従来の浴室音響システムの場合、コントローラを浴室の側壁に埋め込んだ固定形式をとっているので、コントローラが、浴槽に漬かっている人の手が直ぐ届く位置に設けてあれば良いが、離れているような場合には、その都度、浴槽から身体を乗り出して操作をする必要がある。
【０００５】
そこで、音響装置等を操作するリモコンを、ワイヤレス方式の手持ち型とすることが考えられるが、その場合、リモコンからの信号を受ける受信器をパネル面に取り付ける孔を、スピーカ装着用の孔とは別に設ける必要がある。そのため、受光器を取り付ける開口工事と、その孔に受光器を取り付ける複雑な作業が必要になり、作業工費が高くなる。
【０００６】
また、上記のような浴室音響システムに限らず、従来のスピーカは、音を発生するだけの単一の機能しか備えていないので、これを、大型化することなく、多機能化することは望ましいことである。
【０００７】
本発明は、従来の技術が有する上記のような問題点に鑑み、構造を従来のものと大きく変えることなく、簡単な構造で、通信用光ビームを受信しうるようにすることにより、多機能化を図ることができるとともに、最終的には、浴室用として好適なスピーカ、並びにそれを備えるスピーカ装置および音響システムを提供することを目的としている。
【課題を解決するための手段】
【０００８】
本発明によると、上記課題は、次のようにして解決される。
（１）天井または壁を形成するパネルに取り付けられる支持板の中央部に、振動板を駆動する磁気駆動部が配設されたスピーカにおいて、通信用光ビームを受光する受光器を、前記磁気駆動部の中央に設けた収容孔に配設する。
【０００９】
（２）上記(１)項において、収容孔を、永久磁石の中央に配設したセンターポールの中心部に穿設する。
【００１０】
（３）上記(１)または(２)項において、通信用光ビームを透過させる防護キャップを、受光器の受光面の前方に配設する。
【００１１】
（４）上記(１)〜(３)項のいずれかにおいて、通信用光ビームを赤外線とし、かつ受光器を赤外線受光器とする。
【００１２】
（５）上記(１)〜(４)項のいずれかにおいて、放音面を前向きとして、支持板をパネルに取り付け、かつ受光器の受光面を前向きとする。
【００１３】
（６）上記(１)〜(４)項のいずれかにおいて、放音面を後向きとして、支持板を、放射状の放音用開口を有するスペーサを介してパネルに取り付け、かつ受光器の受光面を前向きとる。
【００１４】
（７）上記(６)項に記載のスピーカの前部に、光ビームを透過させる材料製の密閉型のスピーカボックス兼防護カバーを設けて、スピーカ装置とする。
【００１５】
（８）上記(７)項に記載のスピーカ装置におけるスピーカボックス兼防護カバーを、可視光線を透過させる材料により形成し、かつその内部における受光器の受光の妨げとならない位置に、照明用灯具を設けて、灯具付スピーカ装置とする。
【００１６】
（９）上記(８)項において、スピーカボックス兼防護カバー内における受光器の受光面の前方に、円筒形の遮光板を設け、この遮光板の外側に、円筒形の灯具を配設する。
【００１７】
（１０）音響システムにおいて、上記(１)〜(９)項のいずれかに記載のスピーカ、スピーカ装置、または灯具付スピーカ装置と、操作に応じた制御信号を化体した光ビームを発生するリモートコントローラと、前記スピーカ、スピーカ装置、または灯具付スピーカ装置における受光器およびスピーカ、並びに音源ソースに電気的に接続され、かつ前記受光器が受光したリモートコントローラからの光ビームに化体された制御信号に基づいて、スピーカに供給する前記音源ソースからの音響信号を制御する音響制御装置とを備えるものとする。
【００１８】
（１１）上記(１０)項において、スピーカ、スピーカ装置、または灯具付スピーカ装置を、浴室の天井または壁に配設し、かつリモートコントローラを手持ち型として、防水ケース内に収容する。
【発明の効果】
【００１９】
本発明によると、次のような効果を奏することができる。
（ａ）請求項１記載の発明によると、通信用光ビームを受光する受光器を、磁気駆動部の中央に設けた収容孔に配設したので、構造を従来のものより大きく変えることなく、簡単な構造で、スピーカに音を発生する機能だけでなく、通信用光ビームを受信する機能を持たせることができ、スピーカの多機能化を図ることができる。
このスピーカを用いると、通信用光ビームをスピーカに向かって照射することにより、スピーカから発生させる音を制御する制御信号をワイヤレスでスピーカに直接送信することができるだけでなく、通信用光ビームに音響信号を化体させれば、複数のスピーカに電源と光電変換素子を備えるアンプとを接続しておき、任意のスピーカに向かって光ビームを照射するだけで、照射されたスピーカだけから所望の音楽や音声を流すことができ、種々の用途に用いることができる。
また、このスピーカを天井や壁を形成するパネルに取り付けて使用する場合、パネルには従来の構造と同様に、スピーカを設置する孔等の箇所を１箇所だけ設けておけば、受光器を取り付けるための孔等を設ける必要がない。すなわち、受光器がスピーカと一体化されているため、開口工事等が１箇所で済み、パネルへの組み付け工事がスムーズに行える。
【００２０】
（ｂ）請求項２記載の発明によると、収容孔を、永久磁石の中央に配設したセンターポールの中心部に穿設したので、コンパクト化が可能で、またセンターポールの内壁面等を使用して、受光器を簡単かつ確実に固定して取り付けることができ、デザイン性を妨げずに付加価値を高めることができる。
【００２１】
（ｃ）請求項３記載の発明によると、通信用光ビームを透過させる防護キャップを、受光器の受光面の前方に配設したので、光ビームの受光を妨げることなく、受光器を塵埃や水滴等から守ることができ、浴室内の設置等にも適応可能な防水防湿機能を有するスピーカが得られる。
【００２２】
（ｄ）請求項４記載の発明によると、通信用光ビームを赤外線とし、かつ受光器を赤外線受光器としたので、照明装置からの光線等に妨げられることなく、光ビームによる正確な通信が可能となる。
【００２３】
（ｅ）請求項５記載の発明によると、放音面を前向きとして、支持板をパネルに取り付け、かつ受光器の受光面を前向きとしたので、スピーカを、パネルからあまり突出しないようにして取り付けることができる。
【００２４】
（ｆ）請求項６記載の発明によると、放音面を後向きとして、支持板を、放射状の放音用開口を有するスペーサを介してパネルに取り付け、かつ受光器の受光面を前向きとしたので、受光器の受光面がスピーカの構成部材により妨げられることがなく、光ビームによる正確な通信が可能となるとともに、スピーカの存在を目立たなくすることができる。
【００２５】
（ｇ）請求項７記載の発明によると、受光器の防護カバーとスピーカボックスとを兼用させることができるので、好都合であり、スピーカの音響性能を高めることができる。
【００２６】
（ｈ）請求項８記載の発明によると、スピーカに、さらに照明機能を付加することができ、付加価値がさらに高まる。しかも、受光器の受光が照明用灯具により妨げられることがなく、光ビームによる正確な通信が可能となる。
【００２７】
（ｉ）請求項９記載の発明によると、灯具からの光線が受光器の受光面に照射されるのを遮光板により阻止することができるので、灯具からの光線が受光器の受光性能に悪影響を及ぼすのを防止することができる。
【００２８】
（ｊ）請求項１０記載の発明によると、リモートコントローラをスピーカに向けて操作することにより、スピーカから出る音を、ワイヤレスで任意に制御できる、使い勝手のよい音響システムが得られる。
特に、室内にスピーカのみを配設し、音源ソースや音響制御装置等を室外に配設するか、または室内に露呈しないように体裁よく配設する場合、リモートコントローラを、音の発生源であるスピーカに向けて操作することが、自然の動作であり、操作性がよい。
【００２９】
（ｋ）請求項１１記載の発明によると、浴室用として最適な音響システムを提供することができる。
【発明を実施するための最良の形態】
【００３０】
（第１の実施形態）
以下、本発明の第１の実施形態を、図面に基づいて説明する。
図１は、本発明に係るスピーカを備えた音響システム全体を説明するための説明図、図２は、スピーカの正面図である。この音響システムは、浴室の天井(あるいは壁)を形成しているパネル(１)にスピーカ(２)を埋め込んで設置し、スピーカ(２)と接続された音響制御装置(３)を、ワイヤレス式リモートコントローラ(以下リモコンという)(４)で遠隔操作するようになっている。なお、パネル(１)には、円形の開口(５)が形成されており、この開口(５)を閉じた状態で、スピーカ(２)が取り付けられている。
【００３１】
パネル(１)の裏面側には、スピーカ(２)から音響制御装置(３)まで、信号線としてのケーブル(6a)(6b)が敷設されており、ケーブル(6a)(6b)を介して、スピーカ(２)と音響制御装置(３)とが電気的に接続されている。なお、スピーカ(２)と音響制御装置(３)とケーブル(6a)(6b)は、一般に浴室を施工する際に設置されるが、ユニットバスのような場合には、出荷前に取り付けた状態にしておくことも可能である。
【００３２】
音響制御装置(３)は、浴室外に設置されており、制御部(７)、オーディオアンプ(８)、オーディオソース(９)、および通信部(10)を備えている。
【００３３】
オーディオソース(９)は、ラジオ、テレビ、ＣＤ、ＭＤ、カセットテープ等の音声情報等を再生して出力する音源となるオーディオ機器である。
【００３４】
制御部(７)は、音響システムの全体を制御するもので、マイクロコンピュータにより形成されている。制御部(７)は、オーディオソース(９)により再生されたオーディオデータをオーディオアンプ(８)に供給する機能と、通信部(10)からの信号をオーディオソース(９)に供給して、音源となる機器をラジオ、テレビ、ＣＤ、ＭＤ、カセットテープ等の中から選択する機能と、通信部(10)からの信号をオーディオアンプ(８)に供給してスピーカ音量を調整する機能とを有している。
【００３５】
リモコン(４)は、浴室内に置かれる手持ち型のもので、全体が防水ケース(4a)内に収容されている。このリモコン(４)自体は、全体を防水ケース(4a)内に収容したことを除いては、良く知られたものであって、外観的には、音響システムの電源をオン−オフする電源ボタン(11)、オーディオソースを選択する音源選択ボタン(12)、スピーカ音量を調整する音量ボタン(13a)(13d)を備え、内部には、図示しないが、これらのボタン(11)(12)(13a)(13d)が押下されることによる制御信号を化体した光ビーム(4b)を送信するＬＥＤ(発光ダイオード)および送信変調部が設けられている。例えば、このリモコン(４)では、押下されたボタン(11)(12)(13a)(13d)からの制御信号に基づいてパルス数またはパルス幅が変調された赤外線の光ビーム(4b)を出力する。
【００３６】
スピーカ(２)は、パネル(１)の開口(５)に嵌合するようにして取り付けられた截頭円錐形状の支持板(14)の中央部に、振動板であるコーン紙(15)を駆動する磁気駆動部(Ａ)を配設したダイナミックスピーカである。磁気駆動部(Ａ)は、コーン紙(15)の中央部に連結したボイスコイルボビン(16)、それに巻回されて駆動力を発生するボイスコイル(17)、支持板(14)側に固定された永久磁石(18)とそのヨークとなるバックプレート(19)、センターポール(20)、およびプレート(21)、並びにボイスコイル(17)を磁気回路のギャップに対して一定の位置を保つためのダンパ(22)等の、一般的なダイナミックスピーカと共通の構成要素を備えている。
【００３７】
このような一般的なダイナミックスピーカと同様の構成に加えて、スピーカ(２)は、バックプレート(19)およびセンターポール(20)の中心部(ボイスコイル(17)の中心軸上に相当する)に、上下方向(コーン紙(15)の表面である放音面が向く方向を前方としたときは、前後方向)に貫通して穿設された収容孔(23)と、収容孔(23)内に配置された受光器(24)と、受光器(24)の下側を覆って、ボイスコイルボビン(16)の下端に周縁が密に接着された防護キャップ(25)と、支持板(14)の下端全面を覆って、支持板(14)に取り付けられたスピーカネット(26)とを備えている。  
【００３８】
防護キャップ(25)は、リモコン(４)の信号源、すなわちＬＥＤから出射される光ビーム(4b)を透過させる、透明あるいは半透明の防水防湿機能を有する合成樹脂材でドーム状に作られ、受光器(24)の受光面の前方に配設することにより、受光器(24)に湯気や塵埃等が付着するのを防止している。スピーカネット(26)は、リモコン(４)から出射される光ビーム(4b)を通過させることができるように、網状の隙間を設けて形成されている。また、コーン紙(20)は、耐水性を持たせるために、プラスチック等で形成されている。
【００３９】
受光器(24)は、詳細な構造は図示しないが、例えばフォトダイオードの受光素子とレンズを含み、リモコン(４)から出射される光ビーム(4b)を受光するもので、受光器(24)で受光された光ビーム(4b)を電気信号に変換し、ケーブル(6a)を介して通信部(10)に送るように構成されている。受光器(24)の受光部は、一部がセンターポール(20)の下面から下方に若干突出しており、リモコン(４)から出射される光ビーム(4b)を、直接あるいは間接的に受けることができるようにして配置されている。
【００４０】
このように構成された音響システム構造では、リモコン(４)から出射される光ビーム(4b)は、スピーカ(２)に設けられている受光器(24)で受光され、これが電気信号である制御信号に変換され、通信部(10)を介して制御部(７)に送られ、制御部(７)で制御信号に応じた制御、すなわち音源の選択や音量調整等が行われて、制御部(７)からは、音響信号がケーブル(6b)を介してスピーカ(２)に与えられ、スピーカ(２)から出力される。
【００４１】
したがって、第１の実施形態によれば、リモコン(４)の信号源から出射される光ビーム(4b)を受光するための受光器(24)を、磁気駆動部(Ａ)の中央にあるセンターポール(20)の中心に穿設した収容孔(23)内に設けているので、パネル(１)には従来の構造のときと同様に、スピーカ(２)を設置する孔である開口(５)を１箇所だけ設け、この開口(５)にスピーカ(２)を取り付け、かつ必要な配線を行えば、ワイヤレスで音響装置等を遠隔操作できる音響システムを簡単に確立することができる。
【００４２】
この例では、スピーカ(２)におけるコーン紙(15)の表面である放音面を下向きとして、支持板(14)をパネル(１)に取り付け、かつ受光器(24)の受光面を下向きとしたので、スピーカ(２)を、パネル(１)からあまり突出しないようにして取り付けることができる。
【００４３】
(第２の実施形態)
次に、本発明の第２の実施形態について、図３および図４を参照して説明する。
なお、第１の実施形態におけるのと同一の部材には、同一の符号付して図示するに止め、それらについての重複した説明は省略する。
【００４４】
第２の実施形態においては、天井を形成するパネル(１)の下面に複数のねじ(30)をもって固着され、かつ外周面に放射状の放音用開口(31)が設けられたほぼ円筒状のスペーサ(32)の下面における中央のスピーカ取付孔(33)に、スピーカ(2')が、その放音面がパネル(１)側を向くようにして、取り付けられている。
【００４５】
スピーカ(2')は、コーン紙(15)に対する受光器(24)の受光面の向きを上下反転させて収容孔(23)に取り付けたことと、スピーカ(2')自体の向きを上下反転させてパネル(１)に取り付けたこことを除いては、第１の実施形態におけるのと同一である。
すなわち、第２の実施形態においては、スピーカ(2')の放音面が上方を向き、かつ受光器(24)の受光面が下方を向くようにしてある。
【００４６】
スペーサ(32)の下面には、外周面に複数の開口(34)が設けられた皿状の灯具取付板(35)が、複数のねじ(36)をもって着脱自在に取り付けられている。
灯具取付板(35)の中央には、受光器(24)の受光面が下方に臨むようにするための通孔(37)が設けられ、この通孔(37)の下端縁部には、下端が拡開する円筒形の遮光板(38)の上端が固着されている。この通孔(37)または円筒形の遮光板(38)内には、必要に応じて、導光効果を高めるためのレンズや光ファィバー等の導光手段(図示略)を設けるのがよい。
【００４７】
灯具取付板(35)の下方で、かつ遮光板(38)の外側には、丸形蛍光灯とした照明用の灯具(39)が、灯具取付板(35)の下面に設けた複数の保持部材(40)により保持されて配設されている。
【００４８】
灯具取付板(35)の上部外周面には、雄ねじ(41)が刻設されており、この雄ねじ(41)に、灯具取付板(35)と遮光板(38)と灯具(39)とを覆う有底円筒状のスピーカボックス兼防護カバー(以下防護カバーという)(42)の上端部内面に刻設された雌ねじ(43)が螺合することにより、防護カバー(42)が、灯具取付板(35)の下部外周を密閉するように取り付けられている。
【００４９】
防護カバー(42)は、光ビーム(4b)を透過するとともに、灯具(39)からの照明用の可視光線を透過する透明または半透明の合成樹脂材料よりなり、第１の実施形態における防護キャップ(25)と同様の機能を有するだけでなく、スピーカボックスとしての機能を有し、スピーカ(2')の音響性能を高めることができる。
【００５０】
灯具(39)は、蛍光灯に限らず、複数の白熱電球を遮光板(38)を中心とする円周方向に並べたものであってもよい。
【００５１】
このような構成とした灯具付スピーカ装置(44)においても、スピーカ(2')および受光器(24)は、ケーブルを介して音響制御装置に接続され、リモコンからの光ビーム(4b)を受光器(24)で受けて、音源の選択や音量調整等を行うことができる点は、第１の実施形態の場合と同じである。さらに、この第２の実施の形態の場合では、リモコンの操作で、灯具(39)の電源のオン−オフや、明るさを変える調光操作を制御部を介して制御することも可能である。
【００５２】
したがって、第２の実施形態によれば、リモコンの信号源から出射される光ビーム(4b)を受光するための受光器(24)を、ボイスコイル(17)の中心軸と中心が一致するセンターホール(20)の中心に穿設した収容孔(23)内に、すなわち、スピーカ(2')内に設けているので、パネル(１)の一箇所に灯具付スピーカ装置(44)を設置して、必要な配線を行うだけで、ワイヤレスで音響装置や照明等を遠隔操作できるシステムを簡単に確立することができる。
【００５３】
以上、本発明の実施形態について説明したが、本発明の特許請求の範囲を逸脱しない範囲内で、上記実施形態に種々の変形や変更を施すことが可能である。
【００５４】
例えば、互いに離れた位置に設けた複数のスピーカに電源と光電変換素子を備えるアンプとを接続しておき、任意のスピーカに向かって、音響信号を化体させた光ビームを照射することにより、照射されたスピーカだけから所望の音楽や音声を流させるようにすることもできる。
【００５５】
また、上記のスピーカの近くに設けた照明装置の光線を変調させて、その光線に音響信号を化体させ、その光線をスピーカに設けた受光器で受光させて、スピーカから所望の音楽や音声を発生させるようにすることもできる。
【００５６】
さらに、通信用光ビーム(4b)を、赤外線以外の、単色光やレーザー光線等とすることもできる。
【００５７】
第２の実施形態において、受光器(24)の受光面を放音面と同じ上方に向け、天井面やスペーサ(32)内の反射面等より反射した通信用光ビーム(4b)を、受光器(24)で受光するようにしてもよい。
【図面の簡単な説明】
【００５８】
【図１】本発明の第１の実施形態として示すスピーカを備えた音響システム全体を説明するための説明図である。
【図２】第１の実施形態におけるスピーカの正面図である。
【図３】第２の実施の形態における照明灯具付スピーカ装置の正面図である。
【図４】図３のＡ−Ａ線に沿う概略断面図である。
【符号の説明】
【００５９】
(１)パネル
(２)(2')スピーカ
(３)音響制御装置
(４)ワイヤレス式リモートコントローラ(リモコン)
(4a)防水ケース
(4b)光ビーム
(５)開口
(6a)ケーブル
(6b)ケーブル
(７)制御部
(８)オーディオアンプ
(９)オーディオソース
(10)通信部
(11)電源ボタン
(12)音源選択ボタン
(13a)音量ボタン
(13b)音量ボタン
(14)支持板
(15)コーン紙(振動板)
(16)ボイスコイルボビン
(17)ボイスコイル
(18)永久磁石
(19)バックプレート
(20)センターポール
(21)プレート
(22)ダンパ
(23)収容孔
(24)受光器
(25)防護キャップ
(26)スピーカネット
(30)ねじ
(31)放音用開口
(32)スペーサ
(33)スピーカ取付孔
(34)開口
(35)灯具取付板
(36)ねじ
(37)通孔
(38)遮光板
(39)灯具
(40)保持部材
(41)雄ねじ
(42)スピーカボックス兼防護カバー(防護カバー)
(43)雌ねじ
(44)灯具付スピーカ装置
(Ａ)磁気駆動部
【図１】
2006238005.tif 000003
【図２】
2006238005.tif 000004
【図３】
2006238005.tif 000005
【図４】
2006238005.tif 000006